(57)【要約】      （修正有）【課題】人が靴を履いた状態で使用できる靴の型崩れ防止具を提供する。【解決手段】靴の型崩れ防止具１は、表面部２と、裏面部３と、本体部４と、前部５と、後部６と、第１側部７と、第２側部８と、開口部９とを備える。表面部２と裏面部３との境界に、靴の内底部に接触する載置面１０が設けられている。本体部４の一側に第１側部７が設けられ、第１側部７と反対側に第２側部８が設けられている。また、第１側部７に凹部１３が設けられている。靴内に靴の型崩れ防止具１を挿入し、靴を履きながら靴の型崩れを防止し、開口部９により足の甲との接触を低減し、凹部１３により小指側との接触を低減して履き心地感を損なわない。【選択図】図１
0003225593.tif 000002
【実用新案登録請求の範囲】
【請求項１】
屈曲可能で柔軟性のある材料で構成される靴の型崩れ防止具であって、
表面部と、
前記表面部と反対側の面である裏面部と、
先端側に位置する前部と、
前記前部と反対側の後ろ側に位置する後部と、
中央から前記前部に向かって形成される湾曲した略平面状の本体部と、
前記本体部から前記表面部と前記裏面部との境界に位置する載置面に向かって急傾斜する第１側部と、
前記第１側部と反対側に位置する第２側部と、
前記本体部から前記後部側に向かって形成される開口部と、が備えられ、
前記開口部の両側には、前記第１側部と前記第２側部とが設けられていることを特徴とする靴の型崩れ防止具。
【請求項２】
前記第１側部には、開口された凹部が形成されていることを特徴とする請求項１に記載の靴の型崩れ防止具。
【請求項３】
前記本体部には、複数の孔が形成されていることを特徴とする請求項１または２に記載の靴の型崩れ防止具。
【請求項４】
前記本体部には、複数の突起が形成されていることを特徴とする請求項１〜３の何れか１項に記載の靴の型崩れ防止具。
【請求項５】
前記第１側部および前記第２側部の前記裏面部には、前記載置面に沿って複数の溝が形成されていることを特徴とする請求項１〜４の何れか１項に記載の靴の型崩れ防止具。
【請求項６】
前記凹部には、開口縁部に位置する凹部開口面を有し、前記凹部開口面は所定の幅を有し、前記載置面近傍の幅よりも前記本体部近傍の幅が広いことを特徴とする請求項２〜５の何れか１項に記載の靴の型崩れ防止具。
【考案の詳細な説明】
【技術分野】
【０００１】
本考案は、靴の型崩れ、特に靴のトゥアッパー等に発生するシワを防止する靴の型崩れ防止具に関する。
【背景技術】
【０００２】
靴の中に入れて靴の型崩れを防止する靴の型崩れ防止具が知られている（特許文献１参照）。
【０００３】
特許文献１は、全体を弾性変形可能な合成樹脂からなる、肉厚約１．５ｍｍ〜３ｍｍの略扁平な板状体とし、前記板状体は、靴の底部に連続し且つま先部から甲部にかけての範囲全体の展開形状に略一致する平面形状を有するとともに、前記靴の甲部の縦中心線に対応する部分が稜線部となるように表面側に凸に湾曲させ、その湾曲度合いは、靴の甲部の横断面の曲率よりも小さく設定した靴の型崩れ防止具である。
【先行技術文献】
【特許文献】
【０００４】
【特許文献１】実用新案登録第３０３５７２２号公報
【考案の概要】
【考案が解決しようとする課題】
【０００５】
特許文献１に記載された靴の型崩れ防止具は、玄関や靴箱に静止した状態で使用する一般的な靴の型崩れ防止具であり、人が靴を履いた状態で使用する防止具が望まれていた。
【０００６】
本考案は、人が靴を履いた状態で使用できる靴の型崩れ防止具、特に靴のトゥアッパー等に発生するシワを防止することができる靴の型崩れ防止具を提供する。
【課題を解決するための手段】
【０００７】
本考案の考案者は、上述した問題点に関して鋭意研究開発を続けた結果、以下のような画期的な靴の型崩れ防止具を見出した。
【０００８】
上記課題を解決するための本考案の第１の態様は、屈曲可能で柔軟性のある材料で構成される靴の型崩れ防止具であって、表面部と、表面部と反対側の面である裏面部と、先端側に位置する前部と、前部と反対側の後ろ側に位置する後部と、中央から前部に向かって形成される湾曲した略平面状の本体部と、本体部から表面部と裏面部との境界に位置する載置面に向かって急傾斜する第１側部と、第１側部と反対側に位置する第２側部と、本体部から後部側に向かって形成される開口部と、が備えられ、開口部の両側には、第１側部と第２側部とが設けられていることを特徴とする靴の型崩れ防止具にある。
【０００９】
ここで、「屈曲可能で柔軟性のある材料」とは、屈曲させることができ、かつ一定の形状を保持することができるものであれば特に限定されず、例えば市販されている樹脂等が挙げられる。
【００１０】
かかる第１の態様は、前部と本体部とが靴の先端近傍に接し、第１側部と第２側部とで左右を支えるため、靴を履きながら靴の型崩れ、特に靴のトゥアッパー等に発生するシワを防止することができる。また、開口部により第１側部および第２側部の後部を把持することにより、容易に変形し、靴内への挿入がスムーズに行うことができる。さらに、靴を履いて歩く場合、足の付け根を曲げるが、開口部により、本体部との接触を避けることが可能であり、履き心地感が良好となる。そして、開口部により、足を靴に入れるときにつま先等が当たることが少なく、靴から足を抜くときもスムーズに行える靴の型崩れ防止具を提供できる。
【００１１】
本考案に係る第２の態様は、第１側部には、開口された凹部が形成されていることを特徴とする第１の態様に記載の靴の型崩れ防止具にある。
【００１２】
靴の型崩れ防止具を靴１００内に挿入した状態で、足を入れると、足の小指近傍が靴の型崩れ防止具に接触することがなくなり、靴１００の履き心地を損なうことがない。
【００１３】
本考案に係る第３の態様は、本体部には、複数の孔が形成されていることを特徴とする第１または第２の態様に記載の靴の型崩れ防止具にある。
【００１４】
かかる第３態様では、足を入れた状態で靴の型崩れ防止具の本体内部が蒸れるのを防止することができる。
【００１５】
本考案に係る第４の態様は、本体部には、複数の突起が形成されていることを特徴とする第１〜第３の態様の何れか１つに記載の靴の型崩れ防止具にある。
【００１６】
かかる第４の態様では、靴の型崩れ防止具が靴の中で移動するのを抑制することができる。
【００１７】
本考案に係る第５の態様は、第１側部および第２側部の裏面部には、載置面に沿って複数の溝が形成されていることを特徴とする第１〜第４の態様の何れか１つに記載の靴の型崩れ防止具にある。
【００１８】
かかる第５の態様では、足の側部との接触面積を低減し、靴を履く時と靴を脱ぐ時のスムーズ性を確保し、かつ歩行中も裏面側との摩擦を抑制すると共に蒸れを防止することができる。
【００１９】
本考案に係る第６の態様は、凹部には、開口縁部に位置する凹部開口面を有し、凹部開口面は所定の幅を有し、載置面近傍の幅よりも本体部近傍の幅が広いことを特徴とする第２〜第５の態様の何れか１つに記載の靴の型崩れ防止具にある。
【００２０】
かかる第６の態様では、凹部開口面の開始部分は、凹部開口面の中央部分と比較して高い柔軟性を有し、凹部開口面の中央部分は凹部開口面の開始部分と比較して高い強度を有することになる。その結果、靴の型崩れ防止具は、形状を保ちつつ、足の動きに合わせて柔軟に変形することができる。また、第１側部を手で把持する場合、第１側部の変形が容易であり、開口部の強度も維持できる。
【図面の簡単な説明】
【００２１】
【図１】実施形態１に係る靴の型崩れ防止具の概略右側面斜視図である。
【図２】実施形態１に係る靴の型崩れ防止具の概略左側面斜視図である。
【図３】実施形態１に係る靴の型崩れ防止具の概略正面図である。
【図４】実施形態１に係る靴の型崩れ防止具の概略背面図である。
【図５】実施形態１に係る靴の型崩れ防止具の使用状態を示す模式図である。
【考案を実施するための形態】
【００２２】
以下に添付図面を参照して、本考案に係る靴の型崩れ防止具の実施形態を説明する。な
お、本考案は、以下の実施形態に限定されるものではない。
（実施形態１）
【００２３】
図１は本実施形態に係る靴の型崩れ防止具の概略右側面斜視図であり、図２は本実施形態に係る靴の型崩れ防止具の概略左側面斜視図であり、図３は本実施形態に係る靴の型崩れ防止具の概略正面図であり、図４は本実施形態に係る靴の型崩れ防止具の概略背面図であり、図５は本実施形態に係る靴の型崩れ防止具の使用状態を示す模式図である。
【００２４】
これらの図に示すように、本実施形態に係る靴の型崩れ防止具１は、靴１００の中に入れて、靴１００を履きながら靴の型崩れを防止する用具であり、特にスニーカーや革靴等の靴のトゥアッパー等に発生するシワを防止することができる。
【００２５】
本実施形態の靴の型崩れ防止具１は、表面部２と、裏面部３と、本体部４と、前部５と、後部６と、第１側部７と、第２側部８と、開口部９とを備える。
【００２６】
靴の型崩れ防止具１は、箱形形状で正面視（上方から見て）Ｕ字状を呈し、屈曲可能で柔軟性のある樹脂から形成されている。ここで、靴の型崩れ防止具１を構成する樹脂は、屈曲可能で柔軟性があれば特に限定されない。
【００２７】
靴の型崩れ防止具１の表面部２と裏面部３との境界に位置する複数の境界面が、靴１００の内底部に接触する載置面１０となる。本実施形態では、靴の型崩れ防止具１を載置した状態で、表の面を表面部２、表の面と反対側の裏の面を裏面部３とする。
【００２８】
表面部２は、靴１００の上部内面に接するかまたは近接し、裏面部３は足の上部と接するかまたは近接する。また、靴の型崩れ防止具１を載置した状態で、靴１００のつま先に位置する部分を前部５、前部５と反対側を後部６とする。
【００２９】
本体部４は、中央から前部５に向かって形成されるなだらかに湾曲した略平面状部であり、本体部４の裏面側が足指と接するかまたは近接する。また、本体部４から急傾斜し、載置面１０に向かって延在する第１側部７と、第１側部７と反対側の側面で本体部４から急傾斜し載置面１０に向かって延在する第２側部８が設けられている。前部５は、第１側部７と第２側部８とを繋ぐように本体部４の前面側に設けられている。なお、本体部４、第１側部７、第２側部８、前部５および後部６は一体形成されている。
【００３０】
また、側部を説明するために「第１」および「第２」を用いているが、特に位置関係を限定しない。本実施形態では、靴１００の中に靴の型崩れ防止具１を載置した状態で、小指側にくる面を第１側部７、親指側にくる面を第２側部８として説明している。
【００３１】
本体部４から後部６に向かって正面視（上方から見て）Ｕ字状を呈する開口された開口部９が形成され、第１側部７と第２側部８の前部５側寄りには本体部４を介して繋がった状態にあるが、第１側部７と第２側部８の後部６寄りは、開口部９により離間している。すなわち、第１側部７および第２側部８は、本体部４の側方に形成されると共に本体部４より後部６に向かって延在している。なお、開口部９の形状、大きさは特に限定しないが、足の甲に接触する面積が小さい方が望ましい。
【００３２】
また、本体部４には複数の孔１１が形成されており、足を入れた状態で本体内部が蒸れるのを防止することができるようになっている。また、本体部４の表面部には複数の突起１２が形成されており、靴の型崩れ防止具１が靴の中で移動するのを抑制することができるようになっている。そして、第１側部７には、載置面１０から本体部４に向かって開口された凹部１３が形成され、凹部１３の開口縁部に位置する凹部開口面１３ａは、アーチ状を呈している。なお、凹部開口面１３ａの形状、大きさは特に限定されない。
【００３３】
凹部開口面１３ａは、所定の幅Ｗを有しており、載置面１０から上方に向かって幅Ｗが広くなるように形成されている。すなわち、図４に示すように、載置面１０近傍の幅Ｗ１に対して、本体部４近傍の幅Ｗ２が広く形成されている（Ｗ２＞Ｗ１）。これにより、凹部開口面１３ａの開始部分は、凹部開口面１３ａの中央部分と比較して高い柔軟性を有し、凹部開口面１３ａの中央部分は凹部開口面１３ａの開始部分と比較して高い強度を有している。その結果、靴の型崩れ防止具は、形状を保ちつつ、足の動きに合わせて柔軟に変形することができる。
【００３４】
裏面部３には、複数の溝１４が形成されている。本実施形態では、第１側部７の載置面１０近傍には載置面１０の形成方向に沿って３本の溝１４が形成され、第２側部８から前部５の載置面１０近傍に載置面１０の形成方向に沿って３本の溝１４がそれぞれ形成されている。なお、溝１４の大きさ、形状、形成数等は限定されない。これにより、足の側部との接触面積を低減し、靴１００を履く時と靴１００を脱ぐ時のスムーズ性を確保し、かつ歩行中も裏面部３との摩擦を抑制すると共に蒸れ防止を実現している。
【００３５】
本実施形態の靴の型崩れ防止具１は、靴１００を玄関や靴箱に載置させた状態で使用することは勿論、靴１００を履きながらでも使用できる用具であり、靴１００内に挿入しやすく、靴１００を履いていても違和感の少ない特徴を有している。特に、前部５と本体部４とが靴１００の先端近傍に接するかまたは近接し、第１側部７と第２側部８とで本体部４の左右を支えるため、靴１００を履きながら靴の型崩れを防止することができる。
【００３６】
靴の型崩れ防止具１を靴１００に挿入する際に、第１側部７と第２側部８との後部６側を把持することになるが、開口部９が形成されていることで、第１側部および第２側部８の後部６が接近するように両側部７、８を変形（屈曲）させることができ、片手で簡単に取り扱うことができる。さらに、第１側部７に凹部１３が形成されていることで、第１側部７が第２側部８に比較して曲げやすく靴１００に挿入することがより容易となる。手を離すと、靴の型崩れ防止具１の柔軟性により自動的に基本形状（元の形状）に復帰する。また、第１側部７および第２側部８は、本体部４より後部６に向かって延在しているため、靴１００内で安定した載置が可能となる。
【００３７】
靴の型崩れ防止具１を靴１００内に挿入した状態で、足を靴１００の中に入れるが、凹部１３があるため、足の小指近傍が靴の型崩れ防止具１に接触することなく、靴１００の履き心地を損なうことがない。
【００３８】
また、靴１００を履いて歩く場合、足の付け根を曲げることになるが、開口部９により、本体部４との接触を避けることが可能であり、履き心地感が良好となる。さらに、開口部９により、足を靴１００に入れるときにつま先等が当たることが少なく、靴１００から足を抜くときもスムーズに行える。
【００３９】
ここで、本実施形態の靴の型崩れ防止具１は、表面部２と、表面部２と反対側の面である裏面部３と、先端側に位置する前部５と、前部５と反対側の後ろ側に位置する後部６と、中央から前部５に向かって形成される湾曲した略平面状の本体部４と、本体部４から表面部２と裏面部３との境界に位置する載置面１０に向かって急傾斜する第１側部７と、第１側部７と反対側に位置する第２側部８と、本体部４から後部６側に向かって形成される開口部９と、が備えられ、開口部９の両側には、第１側部７と第２側部８が設けられている。
【００４０】
これにより、前部５と本体部４とが靴１００の先端近傍に接するかまたは近接し、第１側部７と第２側部８とで本体部４を左右で支えるため、靴１００を履きながら靴の型崩れを防止できると共に、本体部４によって靴のトゥアッパー等に発生するシワを防止することができる。
【００４１】
また、開口部９により第１側部７および第２側部８の後部６を押さえることにより、容易に変形し、靴１００内への挿入がスムーズに行える。そして、靴１００を履いて歩く場合、足の付け根を曲げることになるが、開口部９により、本体部４との接触を避けることが可能であり、履き心地感が良好となる。
【００４２】
さらに、開口部９により、足を靴１００に入れるときにつま先等が当たることが少なく、靴１００から足を抜くときもスムーズに行うことができる。
【００４３】
靴の型崩れ防止具１の一態様として例えば、第１側部７には、開口された凹部１３が形成されている。これにより、足の小指近傍が靴の型崩れ防止具１に接触することなく、靴１００の履き心地を損なうことがない。
【００４４】
靴の型崩れ防止具１の一態様として例えば、本体部４には、複数の孔１１が形成されている。これにより、靴１００を履いたときも空気が流通するため蒸れることがなくなる。
【００４５】
靴の型崩れ防止具１の一態様として例えば、本体部４には、複数の突起１２が形成されている。これにより、突起１２が靴１００の内上面に接触するため、靴１００内で靴の型崩れ防止具１の移動が防止され、履き心地を良好にしている。
【００４６】
靴の型崩れ防止具１の一態様として例えば、第１側部７および第２側部８の裏面部３には、載置面１０に沿って複数の溝１４が形成されている。これにより、足との接触面積が軽減され、スムーズに履く脱ぐ動作ができ、歩行中、足が裏面部３で接触しても違和感が低減され、蒸れが生じることを解消している。また、第１側部７および第２側部８の強度が維持でき、耐久性のある靴の型崩れ防止具１を提供できる
【００４７】
靴の型崩れ防止具１の一態様として例えば、凹部１３には、開口縁部に位置する凹部開口面１３ａを有する。そして、凹部開口面１３ａは所定の幅Ｗを有し、載置面１０近傍の幅Ｗ１よりも本体部４近傍の幅Ｗ２が広い。これにより、第１側部７を手で把持する場合、第１側部７の変形が容易であり、開口部９の強度も維持できる。
【００４８】
なお、上述した実施形態では、左足用の靴に挿入する靴の型崩れ防止具について説明したが、本発明はこれに限定されない。上述した実施形態の靴の型崩れ防止具とは対照の左足用の靴に挿入する靴の型崩れ防止具も本発明に含まれるのは言うまでもない。
【００４９】
また、本考案は、上述した実施形態に限定されず、変形、改良、等が適宜可能である。また、上述した実施形態における各構成要素の形状、寸法、材質、数、配置箇所、等は、本考案を達成できるものであれば任意であり、限定されない。
【産業上の利用可能性】
【００５０】
本考案は、靴を履きながら靴の型崩れ、特に靴のトゥアッパー等に発生するシワを防止することを要求する靴の型崩れ防止具に好適に用いられる。
【符号の説明】
【００５１】
１  靴の型崩れ防止具
２  表面部
３  裏面部
４  本体部
５  前部
６  後部
７  第１側部
８  第２側部
９  開口部
１０  載置面
１１  孔
１２  突起
１３  凹部
１３ａ  凹部開口面
１４  溝
１００  靴
Ｗ  幅
Ｗ１  載置面近傍の幅
Ｗ２  本体部近傍の幅
【図１】
0003225593.tif 000003
【図２】
0003225593.tif 000004
【図３】
0003225593.tif 000005
【図４】
0003225593.tif 000006
【図５】
0003225593.tif 000007